(57)【要約】【課題】撮像ユニット部品２０７の組み付け作業を従来よりも簡素化することができる傾き調整機構を提供する。【解決手段】画像を撮像するためのイメージセンサー２１０と、画像をイメージセンサー２１０に結像するための前段レンズ群２０８とを保持板２１２に組み付けて１つのユニット部品として構成した撮像ユニット部品２０７を用いて画像を撮像する光学装置に搭載される傾き調整機構を、次のように構成した。即ち、前段レンズ群２０８の中心を軸にした撮像ユニット部品２０７の回転による撮像ユニット部品２０７の傾き調整が可能になるようにした。かかる構成では、撮像ユニット部品２０７の組み付け作業において、従来に比べて、作業工程を１つ減らすことが可能であることから、組み付け作業を従来よりも簡素化することができる。【選択図】図１６
2014060492.tif 000002
【特許請求の範囲】
【請求項１】
画像を撮像するための撮像センサーと、画像を前記撮像センサーに結像するための結像レンズとを保持体に組み付けて１つのユニット部品として構成した撮像ユニット部品を用いて画像を撮像する光学装置に搭載され、前記結像レンズの中心を軸にした前記撮像ユニット部品の回転によって前記撮像ユニット部品の傾き調整を可能にしたことを特徴とする傾き調整機構。
【請求項２】
画像を撮像するための撮像センサーと、画像を前記撮像センサーに結像するための結像レンズとを保持体に組み付けて１つのユニット部品として構成した撮像ユニット部品と、前記撮像ユニット部品の傾きを調整する傾き調整機構とを有する撮像ユニット装置において、
前記傾き調整機構として、請求項１の傾き調整機構を搭載したことを特徴とする撮像ユニット装置。
【請求項３】
請求項２の撮像ユニット装置において、
前記保持体を支持する支持体を設けるとともに、
前記保持体に保持される前記結像レンズの中心を軸にして前記保持体を前記支持体上で回動させるように、前記傾き調整機構を構成したことを特徴とする撮像ユニット装置。
【請求項４】
請求項３の撮像ユニット装置において、
保持体又はこれに保持される被保持体に、前記結像レンズの中心を同心にして所定の曲率で湾曲する湾曲面を設けるとともに、
前記湾曲面を部分的に受ける凹部を前記支持体に設け、
前記湾曲面を前記凹部に摺擦させながら前記軸を中心にして前記保持体を回動させるように、前記傾き調整機構を構成したことを特徴とする撮像ユニット装置。
【請求項５】
請求項４の撮像ユニット装置において、
前記結像レンズとして、円筒状のホルダー部材の内部で円筒軸線に沿って並んだ状態で前記ホルダー部材に保持される第１レンズ群と、前記第１レンズ群を透過した後の前記反射光を受ける第２レンズとを用いるとともに、
前記保持体に保持される前記ホルダー部材の外周面を前記湾曲面として利用したことを特徴とする撮像ユニット装置。
【請求項６】
画像を撮像するための撮像センサーと、画像を前記撮像センサーに結像するための結像レンズとを保持体に組み付けて１つのユニット部品として構成した撮像ユニット部品、及び、前記撮像ユニット部品の傾きを調整する傾き調整機構を有する撮像ユニット装置と、原稿の画像面に照射するための光を発する光源とを用いて原稿の画像を走査することで前記画像を読み取る光学装置としての画像走査装置において、
前記撮像ユニット装置として、請求項２乃至５の何れかの撮像ユニット装置を用いたことを特徴とする画像走査装置。
【請求項７】
原稿の画像を走査する画像走査手段と、原稿を前記画像走査手段による画像の走査位置で保持する原稿保持手段とを用いて原稿の画像を読み取る画像読取装置において、
前記画像走査手段として、請求項６の画像走査装置を用いたことを特徴とする画像読取装置。
【請求項８】
原稿の画像を読み取る画像読取手段と、記録部材に画像を形成する画像形成手段とを備え、前記画像読取手段によって読み取られた画像を前記画像形成手段によって記録部材に形成することで前記画像を複写する複写機において、
前記画像読取手段として、請求項７の画像読取装置を用いたことを特徴とする複写機。
【発明の詳細な説明】
【技術分野】
【０００１】
本発明は、撮像センサーと結像レンズとを保持体に組み付けて１つのユニット部品として構成した撮像ユニット部品の姿勢の傾きを調整する傾き調整機構に関するものである。また、かかる傾き調整機構を搭載した撮像ユニット装置、画像走査装置、画像読取装置、及び複写機に関するものである。
【背景技術】
【０００２】
従来、撮像ユニット部品としては、特許文献１に記載のものが知られている。図１は、特許文献１に記載の撮像ユニット部品を示す斜視図である。この撮像ユニット部品９００は、保持体たるホルダー９０１により、図示しない前段レンズ群と、後段レンズ９０２と、撮像センサー９０３とを保持している。前段レンズ群は、ホルダー９０１の前段レンズ群保持部９０１ａに保持される。前段レンズ群保持部９０１ａは、光軸方向に並ぶ３つの弓状の溝を有している。同図では、便宜上、前段レンズ群における３つのレンズの図示が省略されているが、前段レンズ群保持部９０１ａの３つの溝にはそれぞれレンズが嵌め込まれている。光の進行方向において、前段レンズ群よりも下流側では、長尺の凹レンズからなる後段レンズ９０２と撮像センサー９０３とが順に並んでいる。前段レンズ群と後段レンズ９０２との組み合わせが、撮像センサー９０３の表面に結像するための結像レンズとして機能している。
【発明の概要】
【発明が解決しようとする課題】
【０００３】
技術の進歩によって光学系の焦点距離を飛躍的に短くできるようになった近年においては、図示のように、各種のレンズと撮像センサー９０３とをホルダー９０１に組み付けて１つのユニット部品として構成することが可能になった。
【０００４】
このような撮像ユニット部品９００をスキャナなどの光学装置に搭載する場合には、光学装置内において、撮像ユニット部品９００の位置合わせや傾き補正を行った上で撮像ユニット部品を光学装置に組み付ける必要がある。そして、その組み付けには、多くの作業工程を経る必要がある。
【０００５】
例えば、図２に示されるように、撮像ユニット部品９００を点線の位置に位置合わせするとする。同図において、撮像ユニット部品９００は点線の位置から大きくずれたところに位置している。このため、作業者は、まず、撮像ユニット部品９００をレンズ光軸に直交するｘ−ｙ平面上で図中矢印方向に移動させて図３に示されるように位置合わせする。一般に、撮像ユニット部品９００の位置合わせ基準点はレンズ中心点なので、このとき、撮像ユニット部品９００のレンズ中心点を目標座標に位置させる状態で撮像ユニット部品９００を位置合わせする。次に、撮像ユニット部品９００を図中矢印方向に回転させて傾きのない姿勢に補正する。
【０００６】
この補正を行う前提として、撮像ユニット部品９００の傾きを調整する傾き調整機構に、従来から一般的に用いられているレンズ傾き調整機構と同様の構成のものを採用しているとする。具体的には、撮像ユニット部品９００を支持している図示しない支持体の長尺レンズ長手方向の一端部に設けられた長穴と、他端部に設けられた長穴、それら長穴に貫通した状態で光学装置本体の雌ネジに螺合するボルトなどからなる傾き調整機構である。この傾き調整機構における２本のボルトをそれぞれ緩めて、手作業で支持体をボルトと長穴内壁とのクリアランス内で移動させて、撮像ユニット部品の姿勢の傾きを補正したとする。このとき、長穴の幅がボルトの径よりも大きいことから、支持体は長穴の長手方向だけでなく、幅方向や斜め方向など、ｘ−ｙ平面に沿ってあらゆる方向に動くことが可能である。手作業では、支持体の移動方向を厳密にコントロールすることは困難である。このため、支持体をｘ−ｙ平面上で回転させてその傾きを修正する際に、支持体を全体的にｘ−ｙ方向に微妙に動かして、撮像ユニット部品９００のレンズ中心点を目標座標からずらしてしまうことが多い。すると、傾きを補正した後の撮像ユニット部品９００の全体が図５に示されるように目標位置からずれる。このため、図中矢印で示されるように、撮像ユニット部品９００を再びｘ−ｙ平面上で移動させて撮像ユニット部品９００を目標位置まで移動させる必要がある。
【０００７】
このように、撮像ユニット部品９００をスキャナなどの光学装置に組み付ける際には、撮像ユニット部品９００の位置合わせ、傾き補正、及び再位置合わせという少なくとも３つの作業工程が必要であった。
【０００８】
本発明は、以上の背景に鑑みてなされたものであり、その目的とするところは、次のような傾き調整機構、並びにこれを搭載した撮像ユニット部品、画像走査装置、画像読取装置、及び複写機を提供することである。即ち、撮像ユニット部品の組み付け作業を従来よりも簡素化することができる傾き調整機構等である。
【課題を解決するための手段】
【０００９】
上記目的を達成するために、本発明は、傾き調整機構であって、画像を撮像するための撮像センサーと、画像を前記撮像センサーに結像するための結像レンズとを保持体に組み付けて１つのユニット部品として構成した撮像ユニット部品を用いて画像を撮像する光学装置に搭載され、前記結像レンズの中心を軸にした前記撮像ユニット部品の回転による前記撮像ユニット部品の傾き調整が可能であることを特徴とするものである。
【発明の効果】
【００１０】
本発明においては、次のような作業を行うことで、撮像ユニット部品の組み付け作業を従来よりも簡素化することができる。即ち、まず、ｘ−ｙ平面上において、撮像ユニット部品をｘ方向、ｙ方向に移動させて、撮像ユニット部品の結像レンズの中心を目標座標に位置合わせする。このようにして位置合わせされた撮像ユニット部品は、姿勢が傾いていなければ、結像レンズの中心がその目標座標に位置するだけでなく、全ての箇所がそれぞれ対応する目標座標に位置するため、撮像ユニット部品の全体の位置合わせが完了する。しかし、通常は、撮像ユニット部品の姿勢は正規の姿勢から傾いている場合が多いことから、撮像ユニット部品における結像レンズの中心だけが目標座標に位置し、他の箇所はそれぞれの目標座標からずれたところに位置している。そこで、傾き調整機構によって撮像ユニット部品の姿勢の傾きを補正する。この傾き調整機構は、結像レンズの中心を軸にして撮像ユニット部品を回転させることによって撮像ユニット部品の傾きの調整を可能にするものである。この傾き調整機構により、結像レンズの中心位置を軸にして撮像ユニット部品を回転させることで、撮像ユニット部品のｘ−ｙ平面上における位置をずらしてしまうことなく、撮像ユニット部品の傾きを補正することが可能である。傾き補正後の撮像ユニット部品は、結像レンズの中心が目標座標に位置していることに加えて、撮像ユニット部品の全ての箇所がそれぞれの目標座標に位置するため、撮像ユニット部品の全体の位置合わせが完了する。このように、本発明においては、撮像ユニット部品の結像レンズの中心を目標座標に位置合わせする作業工程、及び撮像ユニット部品の姿勢の傾きを傾き調整機構によって補正する作業工程という２つの作業工程だけで、撮像ユニット部品の全体を位置合わせすることが可能である。その後に、撮像ユニット部品を再位置合わせする作業工程が必要であった従来に比べて、作業工程を１つ減らしていることから、撮像ユニット部品の組み付け作業を従来よりも簡素化することができる。
【図面の簡単な説明】
【００１１】
【図１】特許文献１に記載の撮像ユニット部品を示す斜視図。
【図２】従来の撮像ユニット部品の位置合わせ方法における第１の作業工程を説明するための模式図。
【図３】同位置合わせ方法における第２の作業工程を説明するための模式図。
【図４】同作業工程を経た直後の撮像ユニット部品の状態を説明するための模式図。
【図５】同位置合わせ方法における第３の作業工程を説明するための模式図。
【図６】実施形態に係る複写機を示す斜視図。
【図７】実施形態に係る複写機を示す概略構成図。
【図８】同複写機のＹ用の作像ユニットを示す拡大構成図。
【図９】同複写機のスキャナを示す斜視図。
【図１０】同スキャナを示す分解斜視図。
【図１１】同スキャナの一体型走査ユニットを拡大して示す拡大構成図。
【図１２】撮像ユニット装置を示す拡大構成図。
【図１３】撮像ユニット部品の前段レンズ群及び支持板を示す正面図。
【図１４】同撮像ユニット装置を示す正面図。
【図１５】同撮像ユニット装置を示す平面図。
【図１６】傾き調整中の同撮像ユニット装置を示す正面図。
【図１７】実施例に係る複写機における撮像ユニット装置を示す正面図。
【発明を実施するための形態】
【００１２】
以下、本発明を、電子写真方式の複写機（以下、単に複写機という）に適用した実施形態について説明する。
まず、実施形態に係る複写機の基本的な構成について説明する。図６は、実施形態に係る複写機を示す斜視図である。この複写機は、プリンタ１００と、画像読取ユニット２００とを備えている。そして、画像読取ユニット２００は、プリンタ１００の上に固定されたスキャナ２０１と、これに支持される原稿自動搬送装置（以下、ＡＤＦという）２５１とを有している。
【００１３】
図７は、実施形態に係る複写機を示す概略構成図である。プリンタ１００は、イエロー、マゼンタ、シアン、黒（以下、Ｙ、Ｍ、Ｃ、Ｋと記す）のトナー像を作像するための４つの作像ユニット６Ｙ、Ｍ、Ｃ、Ｋを備えている。これらは、画像形成物質として、互いに異なる色のＹ、Ｍ、Ｃ、Ｋトナーを用いるが、それ以外は同様の構成になっており、寿命到達時に交換される。Ｙトナー像を作像するための作像ユニット６Ｙを例にすると、これは図８に示されるようにドラム状の感光体１Ｙ、ドラムクリーニング装置２Ｙ、除電装置（不図示）、帯電装置４Ｙ、現像装置５Ｙ等を備えている。この作像ユニット６Ｙは、プリンタ１００本体に脱着可能であり、一度に消耗部品を交換できるようになっている。
【００１４】
帯電装置４Ｙは、図示しない駆動手段によって図中時計回りに回転せしめられる感光体１Ｙの表面を一様に帯電せしめる。一様に帯電せしめられた感光体１Ｙの表面は、潜像形成手段としての光書込ユニット７から発するレーザー光Ｌによって露光走査されてＹ用の静電潜像を担持する。このＹの静電潜像は、Ｙトナーを用いる現像装置５ＹによってＹトナー像に現像される。そして、中間転写ベルト８上に中間転写される。ドラムクリーニング装置２Ｙは、中間転写工程を経た後の感光体１Ｙ表面に残留したトナーを除去する。また除電装置は、クリーニング後の感光体１Ｙの残留電荷を除電する。この除電により、感光体１Ｙの表面が初期化されて次の画像形成に備えられる。他の作像ユニット６Ｍ，Ｃ，Ｋにおいても、同様にして感光体１Ｍ，Ｃ，Ｋ上にＭ，Ｃ，Ｋトナー像が形成され、中間転写ベルト８上に中間転写される。
【００１５】
図７において、作像ユニット６Ｙ、Ｍ、Ｃ、Ｋの図中下方には光書込ユニット７が配設されている。潜像形成手段たる光書込ユニット７は、画像情報に基づいて発したレーザー光Ｌを、作像ユニット６Ｙ、Ｍ、Ｃ、Ｋにおけるそれぞれの感光体に照射して露光する。この露光により、感光体１Ｙ、Ｍ、Ｃ、Ｋ上にＹ、Ｍ、Ｃ、Ｋ用の静電潜像が形成される。なお光書込ユニット７は、光源から発したレーザー光Ｌを、モータによって回転駆動しているポリゴンミラーで主走査方向（感光体軸線方向）に偏向せしめながら、複数の光学レンズやミラーを介して感光体に照射するものである。
【００１６】
光書込ユニット７の下方には、シート収容カセット２６や、これに組み込まれた分離手段２７などが配設されている。シート収容カセット２６は、記録シートＰを複数枚重ねたシート束の状態で収納している。また、分離手段２７は、回転駆動可能なフィードローラ２７ａと、これに当接する分離パッド２７ｂとによって分離ニップを形成している。
【００１７】
シート収容カセット２６内のシート束における一番上の記録シートＰには、分離手段２７のフィードローラ２７ａが接触している。フィードローラ２７ａは、自らの回転駆動により、記録シートＰを分離ニップ内に送り込む。分離ニップ内に対して複数枚の記録シートＰが重なった状態で送り込まれると、それら記録シートＰのうち、最上位の記録シートＰだけにフィードローラ２７ａが接触する。最上位の記録シートＰは、フィードローラ２７ａの表面移動に追従して分離ニップ内を給送方向に移動する。これに対し、最上位の記録シートＰを除く下位側の記録シートＰには、表面移動しない分離パッド２７ｂによる負荷抵抗が付与される。これにより、下位側の記録シートＰは、最上位の記録シートＰに追従して給送方向に移動することができず、分離ニップ内に留まる。このようにして、分離手段２７は、シート収容カセット２６内から送り出された複数枚の記録シートＰのうち、最上位の記録シートＰだけを１枚に分離して分離ニップから給紙路に向けて送り出す。給紙路に送り出された記録シートＰは、搬送ローラ対２８を経由した後、レジストローラ対２９のレジストニップに挟み込まれて一旦停止する。
【００１８】
作像ユニット６Ｙ、Ｍ、Ｃ、Ｋの図中上方には、中間転写体たる中間転写ベルト８を張架しながら無端移動せしめる中間転写ユニット１５が配設されている。この中間転写ユニット１５は、中間転写ベルト８の他、４つの１次転写バイアスローラ９Ｙ、Ｍ、Ｃ、Ｋ、クリーニング装置１０などを備えている。また２次転写バックアップローラ１２、クリーニングバックアップローラ１３、テンションローラ１４なども備えている。
【００１９】
中間転写ベルト８は、ループ内側の３つのローラに張架されながら、少なくとも何れか１つのローラの回転駆動によって図中反時計回りに無端移動せしめられる。１次転写バイアスローラ９Ｙ、Ｍ、Ｃ、Ｋは、このように無端移動せしめられる中間転写ベルト８を感光体１Ｙ、Ｍ、Ｃ、Ｋとの間に挟み込んでそれぞれ１次転写ニップを形成している。これらは中間転写ベルト８の裏面（ループ内周面）にトナーとは逆極性（例えばプラス）の転写バイアスを印加する方式のものである。１次転写バイアスローラ９Ｙ、Ｍ、Ｃ、Ｋを除くローラは、全て電気的に接地されている。中間転写ベルト８は、その無端移動に伴ってＹ、Ｍ、Ｃ、Ｋ用の１次転写ニップを順次通過していく過程で、感光体１Ｙ、Ｍ、Ｃ、Ｋ上のＹ、Ｍ、Ｃ、Ｋトナー像が重ね合わせて１次転写される。これにより、中間転写ベルト８上に４色重ね合わせトナー像（以下、４色トナー像という）が形成される。
【００２０】
ベルトループ内側に配設された２次転写バックアップローラ１２は、ベルトループ外側に配設された２次転写ローラ１９との間に中間転写ベルト８を挟み込んで２次転写ニップを形成している。レジストローラ対２９のレジストニップに挟み込まれて一旦停止した記録シートＰは、中間転写ベルト８上の４色トナー像に同期するタイミングで、２次転写ニップに向けて送り出される。そして、２次転写ニップ内で４色トナー像が２次転写される。
【００２１】
２次転写ニップを通過した後の中間転写ベルト８には、記録シートＰに転写されなかった転写残トナーが付着している。これは、ベルトクリーニング装置１０によってクリーニングされる。
【００２２】
２次転写ニップから送り出された記録シートＰは、定着装置２０のローラ間を通過する際に熱と圧力とにより、表面に転写された４色トナー像が定着される。その後、記録シートＰは、排紙ローラ対３０のローラ間を経て機外へと排出される。プリンタ本体の上面には、スタック部３１が形成されており、上記排紙ローラ対３０によって機外に排出された記録シートＰは、このスタック部３１上に順次スタックされる。
【００２３】
中間転写ユニット１５と、これよりも上方にあるスタック部３１との間には、ボトル収容器３３が配設されている。このボトル収容器３３は、Ｙ、Ｍ、Ｃ、Ｋトナーを収容する補給用トナー収容部としてのトナーボトル３２Ｙ、Ｍ、Ｃ、Ｋを収容している。トナーボトル３２Ｙ、Ｍ、Ｃ、Ｋは、ボトル収容器３３上にトナー各色毎に上から置くようにして設置する。トナーボトル３２Ｙ、Ｍ、Ｃ、Ｋ内のＹ、Ｍ、Ｃ、Ｋトナーは、図示しないトナー補給装置により、作像ユニット６Ｙ、Ｍ、Ｃ、Ｋの現像装置に適宜補給される。これらのトナーボトル３２Ｙ、Ｍ、Ｃ、Ｋは、作像ユニット６Ｙ、Ｍ、Ｃ、Ｋとは独立してプリンタ１００本体に脱着可能である。
【００２４】
定着装置２０の近傍には、スイッチバック装置が配設されている。記録シートＰの両面に画像を形成する両面プリントモードにおいて、片面だけにトナー像が形成された後に定着装置２０を通過した記録シートＰは、このスイッチバック装置により、上下反転せしめられながら、レジストローラ対２９のレジストニップに向けて再送される。そして、レジストニップから２次転写ニップに送られてもう片方の面にもトナー像が形成された後、定着装置２０で他方の面に対してもトナー像の定着処理が施された後、排紙ローラ対３０を経由してスタック部３１上にスタックされる。
【００２５】
図７においては、実施形態に係る複写機を正面側から示している。プリンタ１００の上には、スキャナ２０１とＡＤＦ２５１とを具備する画像読取ユニット２００が配設されている。この画像読取ユニット２００は、プリンタ１００の背面に固定された２本の脚部で支えられる架台２９９の上に固定されており、プリンタ１００のスタック部３１と、架台２９９との間には大きな空間が介在している。スタック部３１の上にスタックされる記録シートＰはその空間に位置することになる。
【００２６】
画像読取ユニット２００のスキャナ２０１は、一体型走査光学ユニット２０３を有している。一体型走査光学ユニット２０３は、原稿ＭＳに接触するようにスキャナ２０１のケーシング上壁に固定されたコンタクトガラスの直下に配設されており、光源や、反射ミラーなどからなる光学系を図中左右方向に移動させることができる。そして、光学系を図中左側から右側に移動させていく過程で、光源から発した光をコンタクトガラス上に載置された図示しない原稿で反射させた後、複数の反射ミラーを経由させてイメージセンサーで受光する。
【００２７】
図９は、スキャナ２０１を示す斜視図である。同図においては、便宜上、図示を省略しているが、このスキャナ２０１の上には、図示しないＡＤＦ（２５１）が搭載され、蝶番によって揺動自在に支持されていることで、スキャナ２０１の上面を開閉することが可能になっている。スキャナ２０１の上面には、コンタクトガラス２０１ａが設けられており、その上に図示しない原稿がセットされる。
【００２８】
図１０は、スキャナ２０１を示す分解斜視図である。スキャナ２０１の内部には、原稿を光走査しながら読み取るための一体型走査光学ユニット２０３や、これを副走査方向（図中矢印Ａ方向）に移動可能に保持するガイドロッド２４８及びガイドレール２４９などが配設されている。
【００２９】
図１１は、一体型走査ユニット２０３を拡大して示す拡大構成図である。一体型走査ユニット２０３は、コンタクトガラス２０２上の原稿ＭＳに対して照射するための光を発する光源２０４、光源２０４から発せられた光を原稿ＭＳに向けて反射させる反射板２０５、撮像ユニット部品２０７等を有している。また、原稿ＭＳの原稿面で得られた反射光を順次反射させて撮像ユニット部品２０７に向けて導くための複数の反射鏡２０６も有している。原稿ＭＳの原稿面で反射した反射光は、複数の反射鏡２０６を経由した後、撮像ユニット部品２０７に受け入れられる。
【００３０】
図１２は、撮像ユニット部品２０７を有する撮像ユニット装置を示す拡大構成図である。撮像ユニット装置の撮像ユニット部品２０７は、ユニット支持板２１１によって支持されている。そして、前段レンズ群２０８、後段レンズ２０９、イメージセンサー２１０、保持板２１２、センサーブラケット２１３、センサー基板２１４、後段レンズブラケット２１５、付勢板バネ２１６等を有している。
【００３１】
ユニット支持板２１１は、一体型走査ユニット（２０３）の下面に固定される。このユニット支持板２１１の部品搭載面（鉛直方向下方を向いている面）には、支持板用第１ブラケット２１７や、付勢板バネ２１６が固定されている。また、同図では支持板用第１ブラケット２１７に隠れていて示されていないが、支持板用第１ブラケット２１７の奥側には、支持板用第２ブラケット（後述する図１３の２１８）が、ユニット支持板２１１に固定されている。
【００３２】
保持板２１２は、前段レンズ群２０８、後段レンズ２０９、イメージセンサー２１０などを保持している。前段レンズ群２０８は、筒状のレンズ保持体の内部に、図示しない複数の前段レンズを保持している。そして、図１３に示されるように、保持板２１２に設けられた開口部を貫通している状態で、溶着材２４７によって保持板２１２に固定されている。前段レンズ群２０８の開口貫通部は、図１２に示されるように、ユニット支持板２１１に接触している。なお、前段レンズ群２０８を溶着材（２４７）ではなく、バンドなどによって保持板２１２に固定してもよい。
【００３３】
後段レンズ２０９は、保持板２１２の部品搭載面に立設せしめられた後段レンズブラケット２１５に固定されている。また、イメージセンサー２１０は、センサー基板２１４に固定されており、このセンサー基板２１４は、保持板２１２の部品搭載面に立設せしめられたセンサーブラケット２１３に固定されている。
【００３４】
保持板２１２は、付勢板バネ２１６の付勢力により、ユニット支持板２１１に設けられた位置決め突部２１１ａに押し当てられていることで、副走査方向（図中矢印Ａ方向）の位置決めがなされている。そして、撮像ユニット部品２０７に受け入れられた図示しない反射光は、前段レンズ群２０８と後段レンズ群２０９とを順次通過した後、イメージセンサー２１０に受光される。イメージセンサー２１０としては、ＣＣＤやＣＭＯＳなどからなるものが用いられている。
【００３５】
図１４は、撮像ユニット装置を示す正面図である。また、図１５は、撮像ユニット装置を示す平面図である。なお、図１５は、撮像ユニット装置を鉛直方向下方から上方に向けて眺めた状態を示している。これらの図において、撮像ユニット装置の撮像ユニット部品２０７の保持板２１２には、主走査方向（図中矢印ｘ方向）の一端に対して第１傾き調整板バネ２１９が固定されているとともに、主走査方向の他端に対して第２傾き調整板バネ２１９が固定されている。
【００３６】
図１２において、撮像ユニット部品２０７を支持するためのユニット支持用第１ブラケット２１７には開口が設けられており、第１傾き調整板バネ２１９は、その開口の内壁に圧接する姿勢で挿入されている。これにより、保持板２１２の主走査方向の一端部がユニット支持用第１ブラケット２１７に支持されている。同図には示されていないが、同様に、第２傾き調整板バネは、ユニット支持用第２ブラケットの開口の内壁に圧接する姿勢で挿入されており、これによって保持板２１２の副走査横行の他端部がユニット支持用第２ブラケットに支持されている。
【００３７】
図１５に示されるように、矩形状のユニット支持板２１１における４つのコーナーの付近には、それぞれ主走査方向（矢印ｘ方向）に延在する長穴２１１ａが設けられている。それぞれの長穴２１１ａに貫通せしめられた固定ネジ２２２が一体型走査ユニット２０３のケーシングの雌ネジ部に螺合することで、ユニット支持板２１１が一体型走査ユニット２０３に固定されている。固定ネジ２２２を緩めて、ユニット支持板２１１を長穴２１１ａに沿って主走査方向に移動させることで、撮像ユニット部品２０７の主走査方向の位置調整を行うことができる。
【００３８】
図１１において、一体型走査ユニット２０３は、図示しない高さ調整ネジを介して、図示しないガイドロッド（図１０の２４８）やガイドレール（図１０の２４６）に保持されている。この高さ調整ネジを回すことで、一体型走査ユニット２０３のスキャナ内における高さ方向の位置が調整される。そして、この調整により、撮像ユニット部品２０７の「光走査系における副走査方向」の位置が調整される。なお、スキャナ（２０１）の副走査方向は、一体型走査ユニット２０３の走行方向（図中左右方向）であるが、撮像ユニット部品２０７の「光走査系における副走査方向」は、図１１における矢印ｙ方向である。これは、撮像ユニット部品２０７が図１１の矢印ｙ方向に移動することで、光走査による読み取り位置が図１１の左右方向（スキャナの副走査方向）に移動するからである。
【００３９】
作業者は、図１４において、撮像ユニット部品２０７をｘ−ｙ平面上で位置合わせする際に、まず、撮像ユニット部品２０７をｘ方向、ｙ方向にそれぞれ移動させる。これにより、撮像ユニット部品２０７の前段レンズ群２０８のレンズ中心を、ｘ−ｙ平面上における目標座標に位置させる。この際、図１５に示される固定ネジ２２２を緩めて撮像ユニット部品２０７の副走査方向（矢印ｘ方向）の位置を調整する。また、図１１に示される一体型走査ユニット２０３の高さ調整ネジを回すことで、一体型走査ユニット２０３の同図中矢印ｙ方向の位置を調整する。
【００４０】
次に、作業者は、図１６に示されるように、保持板２１２に螺合している傾き調整ネジ２２１を回す。この傾き調整ネジ２２１の先端は、ユニット支持板２１１の表面に突き当たっている。傾き調整ネジ２２１を回すことで、保持板２１２の主走査方向（ｘ方向）の他端部と、ユニット支持板２１１との距離が変化する。これにより、保持板２１２の他端に固定されている第２傾き調整板バネ２２０の収縮量が変化することから、第２傾き調整板バネ２２０の収縮量と、保持板２１２の一端に固定されている第１傾き調整板バネ２１９の収縮量との比が変化する。そして、図１６の太い矢印で示されるように、撮像ユニット部品２０７の傾きが変化する。
【００４１】
図１６において、ユニット支持板２１１、保持板２１２、ユニット支持用第１ブラケット２１７、ユニット支持用第２ブラケット２１８、第１傾き調整板バネ２１９、第２傾き調整板バネ２２０、傾き調整ネジ２２１、及び前段レンズ群２０８は、撮像ユニット部品２０７のｘ−ｙ平面上における傾きを調整する傾き調整機構を構成している。この傾き調整機構は、撮像ユニット部品２０７の前段レンズ群２０８の前段レンズ中心（図１６の点Ｐ）を軸にして撮像ユニット部品２０７を回転させることで、撮像ユニット部品のｘ−ｙ平面上における傾きの調整を可能にしている。
【００４２】
傾き調整機構によって傾きが補正された後の撮像ユニット部品２０７は、ｘ−ｙ平面上において、前段レンズ群２０８前段レンズ（結像レンズ）の中心（点Ｐ）が目標座標に位置している。加えて、撮像ユニット部品２０７の全ての箇所がそれぞれの目標座標に位置するため、撮像ユニット部品２０７の全体の位置合わせが完了する。このように、実施形態に係る複写機においては、撮像ユニット部品２０７の前段レンズの中心を目標座標に位置合わせする作業工程、及び撮像ユニット部品２０７の姿勢の傾きを傾き調整機構によって補正する作業工程という２つの作業工程だけで、撮像ユニット部品２０７の全体を位置合わせすることが可能である。全体の位置合わせには３つの作業工程が必要であった従来に比べて、作業工程を１つ減らしていることから、撮像ユニット部品２０７の組み付け作業を従来よりも簡素化することができる。
【００４３】
次に、実施形態に係る複写機に、より特徴的な構成を付加した実施例の複写機について説明する。
図１７は、実施例に係る複写機における撮像ユニット部品２０７を示す正面図である。前段レンズ群２０８において、筒状のレンズ保持体の外周面は、結像レンズたる前段レンズの中心を同心にして所定の曲率で湾曲する湾曲面になっている。ユニット支持板２１１の表面には、その湾曲面を部分的に受ける凹部２１１ａが形成されている。そして、傾き調整機構によって撮像ユニット部品２０７の傾きが調整される際には、前段レンズ群２０８のレンズ保持体の外周面が、凹部２１１ａのエッジに突き当たられた状態で回転する。この突き当てにより、前段レンズ群２０８のユニット支持板２１１の表面上における主走査方向（矢印ｘ方向）へのスリップが防止される。このように前段レンズ群２０８のスリップを防止することで、撮像ユニット部品２０７をより確実に、前段レンズ中心を軸にして回転させることができる。
【００４４】
以上に説明したものは一例であり、本発明は、次の態様毎に特有の効果を奏する。
［態様Ａ］
画像を撮像するための撮像センサー（例えばイメージセンサー２１０と、画像を前記撮像センサーに結像するための結像レンズ（例えば前段レンズ群２０８の前段レンズ）とを保持体（例えば保持板２１２）に組み付けて１つのユニット部品として構成した撮像ユニット部品（例えば撮像ユニット部品２０７）を用いて画像を撮像する光学装置（例えばスキャナ２０１）に搭載され、前記結像レンズの中心（例えば点Ｐ）を軸にして前記撮像ユニット部品の回転によって前記撮像ユニット部品の傾きを調整可能にしたことを特徴とするものである。
【００４５】
［態様Ｂ］
態様Ｂは、画像を撮像するための撮像センサーと、画像を前記撮像センサーに結像するための結像レンズとを保持体に組み付けて１つのユニット部品として構成した撮像ユニット部品と、前記撮像ユニット部品の傾きを調整する傾き調整機構とを有する撮像ユニット装置において、前記傾き調整機構として態様Ａのものを搭載したことを特徴とするものである。
【００４６】
［態様Ｃ］
態様Ｃは、態様Ｂにおいて、前記保持体を支持する支持体（例えばユニット支持板２１１）を設けるとともに、前記保持体に保持される前記結像レンズの中心を軸にして前記保持体を前記支持体上で回動させるように、前記傾き調整機構を構成したことを特徴とするものである。かかる構成では、支持体上で保持体を回動させることで、撮像ユニット部品の傾きを調整することができる。
【００４７】
［態様Ｄ］
態様Ｄは、態様Ｃにおいて、保持体又はこれに保持される被保持体（例えば前段レンズ群２０８の筒状のレンズ保持体）に、前記結像レンズの中心を同心にして所定の曲率で湾曲する湾曲面（例えばレンズ保持体の外周面）を設けるとともに、前記湾曲面を部分的に受ける凹部（例えば凹部２１１ａ）を前記支持体に設け、前記湾曲面を前記凹部に摺擦させながら前記軸を中心にして前記保持体を回動させるように、前記傾き調整機構を構成したことを特徴とするものである。かかる構成では、既に説明したように、保持体又は被保持体の第１保持体の表面上におけるｘ方向へのスリップを防止することで、撮像ユニット部品をより確実に、ｘ−ｙ平面状で結像レンズ中心を軸にして回転させることができる。
【００４８】
［態様Ｅ］
態様Ｅは、態様Ｄにおいて、前記結像レンズとして、円筒状のホルダー部材（例えば前段レンズ群２０８のレンズ保持体）の内部で円筒軸線に沿って並んだ状態で前記ホルダー部材に保持される第１レンズ群（例えば前段レンズ群２０８）と、前記第１レンズ群を透過した後の前記反射光を受ける第２レンズ（例えば後段レンズ２０９）とを用いるとともに、前記保持体に保持される前記ホルダー部材の外周面を前記湾曲面として利用したことを特徴とするものである。かかる構成では、ホルダー部材の湾曲面を支持体の凹部に摺擦させるレンズ中心に同心の湾曲面として利用することで、専用の湾曲面を設けることによるコストアップを回避することができる。
【００４９】
［態様Ｆ］
態様Ｆは、画像を撮像するための撮像センサーと、画像を前記撮像センサーに結像するための結像レンズとを保持体に組み付けて１つのユニット部品として構成した撮像ユニット部品、及び、前記撮像ユニット部品の傾きを調整する傾き調整機構を有する撮像ユニット装置と、原稿の画像面に照射するための光を発する光源とを用いて原稿の画像を走査することで前記画像を読み取る光学装置としての画像走査装置（例えば一体型走査装置２０３）において、前記撮像ユニット装置として、態様Ａ〜Ｅのものを用いたことを特徴とするものである。
【００５０】
［態様Ｇ］
態様Ｇは、原稿の画像を走査する画像走査手段と、原稿を前記画像走査手段による画像の走査位置で保持する原稿保持手段（例えばコンタクトガラス２０２）とを用いて原稿の画像を読み取る画像読取装置（例えばスキャナ２０１）において、前記画像走査手段として、請求項６の画像走査装置を用いたことを特徴とするものである。
【００５１】
［態様Ｈ］
態様Ｈは、原稿の画像を読み取る画像読取手段と、記録部材に画像を形成する画像形成手段とを備え、前記画像読取手段によって読み取られた画像を前記画像形成手段（例えばプリンタ１００）によって記録部材に形成することで前記画像を複写する複写機において、前記画像読取手段として、請求項７の画像読取装置を用いたことを特徴とするものである。
【符号の説明】
【００５２】
１００：プリンタ（画像形成手段）
２０１：スキャナ（光学装置、画像読取装置）
２０２：コンタクトガラス（原稿保持手段）
２０３：一体型走査装置（画像走査装置）
２０７：撮像ユニット部品
２０８：前段レンズ群（第１レンズ群）
２０９：後段レンズ（第２レンズ）
２１０：イメージセンサー（撮像センサー）
２１１：ユニット支持板（支持体）
２１１ａ：凹部
２１２：保持板（保持体）
【先行技術文献】
【特許文献】
【００５３】
【特許文献１】特許第３９３９９０８号公報
【図１】
2014060492.tif 000003
【図２】
2014060492.tif 000004
【図３】
2014060492.tif 000005
【図４】
2014060492.tif 000006
【図５】
2014060492.tif 000007
【図６】
2014060492.tif 000008
【図７】
2014060492.tif 000009
【図８】
2014060492.tif 000010
【図９】
2014060492.tif 000011
【図１０】
2014060492.tif 000012
【図１１】
2014060492.tif 000013
【図１２】
2014060492.tif 000014
【図１３】
2014060492.tif 000015
【図１４】
2014060492.tif 000016
【図１５】
2014060492.tif 000017
【図１６】
2014060492.tif 000018
【図１７】
2014060492.tif 000019